Podtech/llm-jp-corpus-v4-ja_patent huggingface dataset:
【手続補正書】
【提出日】平成16年9月6日(2004.9.6)
【手続補正１】
【補正対象書類名】明細書
【補正対象項目名】特許請求の範囲
【補正方法】変更
【補正の内容】
【特許請求の範囲】
【請求項１】  以下：
長手方向の軸および周囲を有し、体腔へ導入するために構成されたサイズを有する、ほぼ管状の本体であって、該管状の本体が、体腔への導入を容易にするための収縮状態と、体腔の壁を係合するための拡大された状態との間で膨張可能である、管状の本体；
該管状の本体に形成される複数の円筒形のバンドであって、各バンドが、ほぼジグザグのパターンを有する、円筒形のバンド；
隣接する円筒形のバンドの間で延び、隣接する円筒形のバンドを連結する複数の長手方向のコネクタであって、該長手方向のコネクタが、半径方向に厚みｔ１を有する厚み減少領域を有し、該厚みｔ１は、隣接する該円筒形のバンドの厚みｔ０よりも実質的に小さく、該長手方向のコネクタは、該管状の本体が、膨張した状態である場合、実質的に真っ直ぐな形状を呈する、長手方向のコネクタ、
を備える、ステント。
【請求項２】  請求項１に記載のステントであって、前記厚み減少領域の厚みｔ１は、前記円筒形のバンドの厚みｔ０の約３分の２より大きくない、ステント。
【請求項３】  請求項１に記載のステントであって、前記長手方向のコネクタは、前記厚み減少領域が、前記管状の本体の周囲の周りに延びるスロットを規定するように、お互いに整列する、ステント。
【請求項４】  請求項１に記載のステントであって、前記ほぼジグザグのパターンは、お互いに連結する一連の連続した対角要素を備え、前記周囲の周りに延び、該対角要素は、ほぼ弓型の形状を有し、各バンドにおける全ての対角要素は、該周囲の周りに、時計回りまたは反時計回りの方向のいずれかに配向している、ステント。
【請求項５】  前記管状の本体が、拡大された状態に向かって付勢されている、請求項１に記載のステント。
【請求項６】  請求項５に記載のステントであって、前記ほぼジグザグのパターンが、未伸長状態と伸長状態との間で膨張可能であり、前記ジグザグのパターンが、体温よりも実質的に低い遷移温度より高温で、伸長した状態に向かって付勢されており、それによって、前記拡大された状態を少なくとも部分的に規定する、ステント。
【請求項７】  以下：
長手方向の軸および周囲を有するコイル巻きされたシートであって、該コイル巻きされたシートは、体腔への導入を容易にするための収縮状態と、体腔の壁を係合するための拡大された状態との間で膨張可能であり、該コイル巻きされたシートは、内側長手方向セクションおよび外側長手方向セクションの重なりを含み、該内側長手方向セクションおよび外側長手方向セクションは、お互いに対して周囲方向に滑り得、半径方向に拡大し得る、コイル巻きされたシート、
該コイル巻きされたシートに形成される複数の円筒形のバンドであって、各バンドが、ほぼジグザグのパターンを有する、円筒形のバンド；ならびに
隣接する円筒形のバンドの間で延び、隣接する円筒形のバンドを連結する複数の長手方向のコネクタであって、該長手方向のコネクタが、半径方向に厚みｔ１を有する厚み減少領域を有し、該厚みｔ１は、隣接する該円筒形のバンドの厚みｔ０よりも実質的に小さく、該長手方向のコネクタは、該コイル巻きされたシートが、膨張した状態である場合、実質的に真っ直ぐな形状を呈する、長手方向のコネクタ、
を備える、ステント。
【請求項８】  請求項７に記載のステントであって、前記長手方向のコネクタは、前記厚み減少領域が、前記コイル巻きされたシートの周囲の周りに延びるスロットを規定するように、お互いに整列し、該スロットが、該スロットを備える該コイル巻きされたシート領域を実質的に永久的に変形させることなく、該コイル巻きされたシートの屈曲特性を向上させるように構成される、ステント。
【請求項９】  請求項７に記載のステントであって、前記長手方向のコネクタは、前記ステントが膨張した状態である場合、前記長手方向の軸に実質的に平行に延びるように付勢している、ステント。
【請求項１０】  請求項７に記載のステントであって、前記コイル巻きされたシートは、拡大された状態に向かって付勢されている、ステント。
【請求項１１】  請求項１０に記載のステントであって、前記ほぼジグザグのパターンが、未伸長状態と伸長状態との間で膨張可能であり、前記ジグザグのパターンが、体温よりも実質的に低い遷移温度より高温で、伸長した状態に向かって付勢されており、それによって、前記拡大された状態を少なくとも部分的に規定する、ステント。
【手続補正書】
【提出日】平成16年9月1日(2004.9.1)
【手続補正１】
【補正対象書類名】明細書
【補正対象項目名】特許請求の範囲
【補正方法】変更
【補正の内容】
【特許請求の範囲】
【請求項１】
骨成長を誘導するのに有効な量の骨誘導性組成物、と
該骨誘導性組成物が中に混入された徐放性、生分解性担体であってインビボで骨誘導性組成物の流出に対して実質的に不浸透性であるように選択される徐放性、生分解性担体と
を含む組成物。
【請求項２】
担体が、埋め込み後の２日目にその質量の少なくともを５０％を保持する請求項１に記載の組成物。
【請求項３】
担体が、埋め込み後の１０日目にその質量の少なくとも５０％を保持する請求項１または２に記載の組成物。
【請求項４】
担体が、埋め込み後の１４日めにその質量の少なくとも５０％を保持する請求項１〜３のいずれかに記載の組成物。
【請求項５】
埋め込み後２日目に骨誘導性組成物の質量の５０％未満が放出されうるように担体を選択する請求項１〜４のいずれかに記載の組成物。
【請求項６】
埋め込み後７日目に骨誘導性組成物の質量の５０％未満が放出されうるように担体を選択する請求項１〜５のいずれかに記載の組成物。
【請求項７】
埋め込み後１４日目に骨誘導性組成物の質量の５０％未満が放出されうるように担体を選択する請求項１〜６のいずれかに記載の組成物。
【請求項８】
骨誘導性組成物が、一種以上の骨形成タンパク質、ＬＩＭミネラリゼーションタンパク質、組換えヒトタンパク質、または骨形成タンパク質、ＬＩＭミネラリゼーションタンパク質もしくは組換えヒト骨形成タンパク質をコードするヌクレオチド配列を含む請求項１〜７のいずれかに記載の組成物。
【請求項９】
１ｍｌの担体当たり０．５ｍｇの骨形成タンパク質〜１ｍｌの担体当たり４ｍｇの骨形成タンパク質を含む請求項１〜８のいずれかに記載の組成物。
【請求項１０】
２ｍｇ〜４０ｍｇの骨形成タンパク質を含む請求項１〜９のいずれかに記載の組成物。
【請求項１１】
担体が、ポリマー母材と、コラーゲン、ゼラチン、カルボキシメチルセルロース、グリカンおよびその混合物からなる群から選択される添加剤とを含む請求項１〜１０のいずれかに記載の組成物。
【請求項１２】
担体が、ポリ乳酸、ポリグリコール酸、ポリエチレングリコール、およびその混合物からなる群から選択されるポリマー母材を含む請求項１〜１１のいずれかに記載の組成物。
【請求項１３】
担体が、吸収性セメントと、コラーゲン、ゼラチン、カルボキシメチルセルロース、グリカンおよびその混合物からなる群から選択される添加剤とを含む請求項１〜１０のいずれかに記載の組成物。
【請求項１４】
吸収性セメントがリン酸カルシウム、リン酸三カルシウム、ヒドロキシアパタイト、およびその混合物からなる群から選択される物質を含む請求項１３に記載の組成物。
【手続補正書】
【提出日】平成15年6月26日(2003.6.26)
【手続補正１】
【補正対象書類名】明細書
【補正対象項目名】特許請求の範囲
【補正方法】変更
【補正の内容】
【特許請求の範囲】
【請求項１】
ディスプレイと、
賭け手段と、
前記ディスプレイと前記賭け手段との間に介在して、前記賭け手段の起動時に前記ディスプレイ上で１次ゲームのプレイを開始するためのプロセッサと
を組み合わせて備え、
前記ディスプレイが第１のボーナスをトリガする少なくとも１つの結果を有し、前記第１のボーナスが第２のボーナスをトリガする少なくとも１つの結果を有し、前記第１のボーナスが、第１の露出された標章と、ランダムな標章を表示する第１の複数の露出されていないカードと、前記第１の露出された標章に一致する一つと、前記複数の露出されていないカードの一つを選択する選択手段と、前記選択されたカードが前記第１の標章と一致するか否かを判定するための比較手段とによって規定されるゲーム装置。
【請求項２】
前記第１の複数の露出されていないカードが５枚である請求項１に記載の装置。
【請求項３】
前記第２のボーナスが、第２の標章を事前選択するためのランダム手段と、ランダムな標章を表示する複数の露出されたカードと、前記第２の標章に一致する一つと、前記複数の露出されたカードから１枚のカードを選択する決定手段と、前記選択されたカードが前記第２の標章と一致するか否かを判定するための比較手段とによって規定される請求項１に記載の装置。
【請求項４】
前記複数の露出されたカードが５枚である請求項３に記載の装置。
【請求項５】
前記第２のボーナスが、第３の標章を事前選択するためのランダム手段と、ランダムな標章を表示する複数の露出されたカードと、前記第３の標章に一致する一つと、前記複数の露出されたカードから１枚のカードを選択するための決定手段と、前記選択されたカードが前記第３の標章と一致するか否かを判定する比較手段とによってさらに規定される請求項３に記載の装置。
【請求項６】
前記複数の露出されたカードが５枚である請求項５に記載の装置。
【請求項７】
前記第２のボーナスが、一連の場所と、プレイの経路に沿って前記一連の場所に関して場所の変更の大きさを示すスピナーとして具現されるランダム・カウンタ手段と、前記ランダム・カウンタ手段によって知らされる値にしたがって特定の場所に位置されるカウンターピースを経てプレーヤの位置を視覚的に示す位置手段とを有する前記プレイの経路を備えた請求項５に記載の装置。
【請求項８】
前記一連の場所が、ランダムに生成された賞の値を含んでいる場所の副集合を含む請求項７に記載の装置。
【請求項９】
前記一連の場所が、前記第２のボーナスの終了をトリガする結果を含んでいる場所の副集合を含みそして第３の標章の一致が前記第２のボーナスを終了する請求項８に記載の装置。
【請求項１０】
前記第２のボーナスの終了をトリガする結果を含んでいる前記場所の副集合が、前記ランダム・カウンタ手段に関与する前に毎回ランダムに選択される請求項９に記載の装置。
【請求項１１】
ステップが、
１次ゲームを表示するステップと、
賭けを可能にするステップと、
なされた前記賭けに応じて前記１次ゲームに対する結果を生成するステップと、
第１のボーナスが露出されたシンボルを複数の露出されていないシンボルの一つと一致させることを含み前記１次ゲームから少なくとも１つの結果が発生する際に前記第１のボーナスを可能にするステップと、
第２のボーナスは一連の場所、複数の露出された標章の一つが選択される機会をトリガする少なくとも一つを有するプレイの経路に沿ってカウンターピースを進めることを含み前記第１のボーナスから少なくとも１つの結果が発生する際に前記第２のボーナスを可能にするステップと
を含むゲーム方法。
【請求項１２】
第１のボーナスが人物と一致する機会を提供することを含む請求項１１に記載の方法。
【請求項１３】
第２のボーナスが物と一致することを含む請求項１２に記載の方法。
【請求項１４】
ボーナスが場所と一致することを含む請求項１３に記載の方法。
【請求項１５】
ディスプレイと、
乱数生成器手段を有するプロセッサと、
賭けによって起動され前記プロセッサで前記ディスプレイを駆動し前記乱数生成器の制御の下でゲームを提供する賭けセンサとを備え、
前記ゲームが：
ａ）一つの露出された標章と複数の露出されていない標章；
露出されていない標章の一つを選択しその値を明らかにする手段；
前記露出された標章を前記選択された標章の値と比較する比較器；
前記比較器が一致を検出した場合の賞手段；
ｂ）一致の発生で表示される複数の場面を有するプレイ経路；
該プレイ経路に沿ってカウンタピースを進めるための手段；
前記ディスプレイで複数の露出された標章を提供する少なくとも一つの
場所および一つの露出された表彰をランダムに選択された一致と選択比
較する手段；
を組み合わせて備え、
少なくとも一つの場所が前記ゲームを終了させ、そして少なくとも一つの場所が賞を直接与えるゲーム装置。
【手続補正書】
【提出日】平成14年10月31日(2002.10.31)
【手続補正１】
【補正対象書類名】明細書
【補正対象項目名】特許請求の範囲
【補正方法】変更
【補正の内容】
【特許請求の範囲】
【請求項１】
少なくとも１つの密封された無菌の内部部分を限定する外側包み材と、
上記少なくとも１つの内部部分内に置かれ、かつ上記少なくとも１つの内部部分と少なくとも１つの殺菌された外科工具の両方を殺菌する殺菌プロセスによって上記少なくとも１つの内部部分内に挿入した後に殺菌された特定の医療処置に必要な少なくとも１つの殺菌された外科工具と、
医療用接着剤を中にもつ容器とを含み、その中で上記接着剤もまた殺菌されることを含む密封可能の包装を含むことを特徴とする医療処置用キット。
【請求項２】
医療用接着剤は重合可能の単量体接着剤とすることを特徴とする請求項１に記載の医療処置用キット。
【請求項３】
単量体は１，１−ジサブスチチューテッド（ｄｉｓｕｂｓｔｉｔｕｔｅｄ）エチレン単量体とすることを特徴とする請求項１又は２に記載の医療処置用キット。
【請求項４】
単量体はアルファ−シアノアクリレイトとすることを特徴とする請求項１から３の何れか１項に記載の医療処置用キット。
【請求項５】
容器は接着剤を入れている破砕可能のアンプルを含むことを特徴とする請求項１に記載の医療処置用キット。
【請求項６】
上記キットは接着剤塗布器を含むことを特徴とする請求項５に記載の医療処置用キット。
【請求項７】
接着剤容器は接着剤塗布器を含むことを特徴とする請求項６に記載の医療処置用キット。
【請求項８】
上記少なくとも１つの殺菌された外科工具と上記容器は上記少なくとも１つの外側包み材の同じ内部部分内にあることを特徴とする請求項１に記載の医療処置用キット。
【請求項９】
上記少なくとも１つの殺菌された外科工具と上記容器は同じ殺菌プロセス中に殺菌されたものであることを特徴とする請求項８に記載の医療処置用キット。
【請求項１０】
上記接着剤を包囲する殺菌バリヤーを更に含み、上記殺菌バリヤーは、上記少なくとも１つの殺菌された外科工具を殺菌するのに使用される殺菌プロセスに対して不浸透性であることを特徴とする請求項８に記載の医療処置用キット。
【請求項１１】
上記容器は上記殺菌バリヤーとして作用することを特徴とする請求項１０に記載の医療処置用キット。
【請求項１２】
上記殺菌バリヤーはエチレンオキシド殺菌に対して不浸透性であることを特徴とする請求項１０に記載の医療処置用キット。
【請求項１３】
上記殺菌バリヤーは金属フォイルとガラスのうちの一方であることを特徴とする請求項１０に記載の医療処置用キット。
【請求項１４】
上記少なくとも１つの殺菌された外科工具と上記容器は異なった内部部分内に置かれることを特徴とする請求項１に記載の医療処置用キット。
【請求項１５】
上記少なくとも１つの殺菌された外科工具と上記容器は別々に殺菌されたものであることを特徴とする請求項１４に記載の医療処置用キット。
【請求項１６】
２つの別々の外側包み材を提供し、その１方は上記少なくとも１つの殺菌された外科工具を含み、他方は上記接着剤を入れた上記容器を含み、両外側包み材はお互いに付着されていることを特徴とする請求項１に記載の医療処置用キット。
【請求項１７】
少なくとも１つの殺菌された外科工具は創傷閉鎖システムの一部を形成することを特徴とする請求項１に記載の医療処置用キット。
【請求項１８】
所望の医療処置を行うのに必要な少なくとも１つの外科工具と、医療用接着剤を入れる容器とを含む医療処置用キットを包装しかつ殺菌する方法において、
外側包み材内に上記少なくとも１つの外科工具を置き、
外側包み材内に上記接着剤を入れた上記容器を置き、
上記接着剤の特性をあまり退化させることなく、上記少なくとも１つの外科工具と上記接着剤を殺菌し、そして
上記少なくとも１つの外科工具と上記接着剤を入れた上記容器が関連させられている組み合わせ医療処置用キットを形成すること、
を含むことを特徴とする方法。
【請求項１９】
上記少なくとも１つの外科工具と上記接着剤を入れた上記容器は異なった外側包み材内に置かれることを特徴とする請求項１８に記載の方法。
【請求項２０】
上記少なくとも１つの外科工具と上記接着剤を入れた上記容器は上記２つの異なった外側包み材をお互いに付着することによって関連させられることを特徴とする請求項１９に記載の方法。
【請求項２１】
上記少なくとも１つの外科工具と上記接着剤を入れた上記容器は別々に殺菌されることを特徴とする請求項１９に記載の方法。
【請求項２２】
接着剤を入れた容器は上記少なくとも１つの外科工具とは異なった殺菌プロセスを施されることを特徴とする請求項２１に記載の方法。
【請求項２３】
上記少なくとも１つの外科工具と上記接着剤を入れた容器は同じ上記外側包み材内に置かれることを特徴とする請求項１８に記載の方法。
【請求項２４】
上記接着剤を入れた容器は上記少なくとも１つの外科工具と同じ殺菌プロセスを施されることを特徴とする請求項２３に記載の方法。
【請求項２５】
上記殺菌はエチレンオキシド、ガンマ線放射または電子ビーム放射の何れかに曝すことによって行うことを特徴とする請求項２４に記載の方法。
【請求項２６】
上記接着剤を入れた容器を前殺菌し、そして上記少なくとも１つの外科工具の殺菌前に、上記接着剤の周りに殺菌バリヤーを提供することを特徴とする請求項２３に記載の方法。
【請求項２７】
上記接着剤は電子ビームによって殺菌され、そして全処置用キットは上記少なくとも１つの外科工具を殺菌するためにエチレンオキシド殺菌を施され、殺菌バリヤーは上記エチレンオキシド殺菌から上記接着剤を遮蔽することを特徴とする請求項２６に記載の方法。
【請求項２８】
上記容器は上記殺菌バリヤーを限定することを特徴とする請求項２６に記載の方法。
【請求項２９】
少なくとも１つの外科工具は全処置用キットに殺菌を施こすことによって殺菌されることを特徴とする請求項２３に記載の方法。
【請求項３０】
上記接着剤は殺菌バリヤーによってこの殺菌から保護されることを特徴とする請求項２９に記載の方法。
【請求項３１】
殺菌はエチレンオキシド、ガンマ線放射または電子ビーム放射に曝すことによってなされることを特徴とする請求項２９に記載の方法。
【請求項３２】
少なくとも１つの外科工具は少なくとも複数の殺菌サイクルを施されることを特徴とする請求項１８に記載の方法。
【請求項３３】
上記接着剤は重合可能の単量体接着剤とすることを特徴とする請求項１８に記載の方法。
【請求項３４】
単量体は１，１−ジサブスチチューテッドエチレン単量体とすることを特徴とする請求項３３に記載の方法。
【請求項３５】
単量体はアルファ−シアノアクリレイトとすることを特徴とする請求項３３に記載の方法。
【請求項３６】
容器に接着剤塗布器を備えることを更に含むことを特徴とする請求項１８に記載の方法。
【請求項３７】
接着剤塗布器が開始剤先端部を備えることを更に含むことを特徴とする請求項３６に記載の方法。
【請求項３８】
接着剤を殺菌するステップを更に含むことを特徴とする請求項１８記載の方法。
【手続補正書】
【提出日】平成15年5月16日(2003.5.16)
【手続補正１】
【補正対象書類名】明細書
【補正対象項目名】特許請求の範囲
【補正方法】変更
【補正の内容】
【特許請求の範囲】
【請求項１】
選択された測定値（Ｃ）をもつ周囲と、
１８個の正方形と、２４個の不等辺四角形と、８個の正三角形とからなる多数の相互連結された基本パネルを備えた表面とを有し、前記正方形は、実質的に等しい長さ（ａ）の４つの辺と、長さ（ｄ）の２つの一致する対角線とを備え、前記三角形は、実質的に等しい長さ（ｃ）の３つの辺と、中心点（Ｙ）とを備え、前記不等辺四角形は、前記長さ（ａ）の２つの脚と、前記長さ（ａ）の１つのベースと、前記長さ（ｃ）の短い辺とを備え、
前記不等辺四角形は前記正方形の３つおよび前記三角形の１つにより包囲されており、前記不等辺四角形の前記辺（ｃ）は前記三角形の前記辺（ｃ）に連結され、前記不等辺四角形の前記辺（ａ）は前記正方形の前記辺（ａ）に連結され、
前記周囲測定値（Ｃ）と前記長さ（ｃ）との関係は、（ｃ）＝６．４３６％（Ｃ）の第一比と、（ｃ）＝６．２５％（Ｃ）の第二比との間の範囲内にあり、前記正方形の前記対角線の長さ（ｄ）は、実質的に前記測定値（Ｃ）の１／８に等しいことを特徴とするボール競技用の膨張可能ボール。
【請求項２】
前記三角形の前記長さ（ｃ）は、前記長さ（ｄ）と長さ（ａ）との差に３の平方根を掛けた力に等しく、すなわち（ｃ）＝３1/2×（ｄ−ａ）であることを特徴とする請求項１記載のボール。
【請求項３】
前記正方形のうちの１２個は、一方の対角線が長さ（ｄ）を有し、他方の対角線が長さ（ｄ）より長い長さを有し、これにより１２個の菱形が形成され、前記長い方の対角線は前記三角形のうちの２つの間に配置されていることを特徴とする請求項１記載のボール。
【請求項４】
前記基本パネルの選択された群からなる結合体から形成された大きいパネルの形態をなすサブアセンブリを更に有することを特徴とする請求項１記載のボール。
【請求項５】
前記基本パネルの選択された群からなる結合体から形成された小さいパネルの形態をなすサブアセンブリを更に有することを特徴とする請求項４記載のボール。
【請求項６】
前記基本パネルの選択された群からなる結合体から形成された小さいパネルの形態をなすサブアセンブリを更に有することを特徴とする請求項１記載のボール。
【請求項７】
前記ボールの中心を通る４つの直径方向軸線を更に有し、各軸線は、前記点（Ｙ）に配置された２つの反対の極を有し、前記三角形は、各三角形を分割する３つの同一の相互連結されたサブ三角形を有し、各サブ三角形は、前記長さ（ｃ）のベースと、前記三角形の各頂点から前記中心点（Ｙ）まで「ｓ」パターンで延びている２つの脚とを有することを特徴とする請求項１記載のボール。
【請求項８】
前記サブ三角形の「ｓ」状に延びた脚は２つの反対方向に配置されており、一方向の前記サブ三角形の脚を備えた前記三角形の４つからなる第一群と、他方向の前記サブ三角形の脚を備えた前記三角形の４つからなる第二群とを更に有し、前記第一群の各三角形は前記４つの直径方向軸線の前記極の１つに配置され、前記第二群の各三角形は前記軸線の反対側の極に配置され、各軸線は、一方の極に前記第一群の三角形を有しかつ反対側の極に第二群の三角形を有していることを特徴とする請求項１記載のボール。
【請求項９】
前記２つの点（Ｙ）の間に配置された少なくとも４つの細長い支持ストリングを更に有し、各ストリングは、前記ボールの絶対中心に実質的に近い位置で他のストリングと交差することを特徴とする請求項１記載のボール。
【請求項１０】
前記点（Ｙ）に配置された少なくとも８個の凹状歯車からなる装飾的デザインを更に有することを特徴とする請求項１記載のボール。
【請求項１１】
前記正方形の幾つかの中心に配置された少なくとも１２個の凹状歯車からなる装飾的デザインを更に有することを特徴とする請求項１記載のボール。
【請求項１２】
１８個の正方形と、２４個の不等辺四角形と、８個の正三角形とからなる複数の相互連結されたフレームを備えた調節可能な表面を有し、
前記正方形のフレームは、通常等しい長さ（ａ）の４つの辺を備え、
前記三角形のフレームは、前記長さ（ａ）と短い方の長さ（ｃ）との間の範囲内の調節可能な測定値をもつ３つの辺を備え、
前記不等辺四角形のフレームは４つの辺を有し、これらの辺のうちの３つは通常等しい長さ（ａ）を有し、第４の辺は、前記長さ（ａ）と短い方の長さ（ｃ）との間の範囲内の調節可能な測定値を有し、
前記三角形のフレームの調節可能な辺は前記不等辺四角形のフレームの前記調節可能な辺に連結され、前記不等辺四角形の通常等しい長さの辺は前記正方形の通常等しい長さの辺に連結され、
前記三角形および不等辺四角形の前記調節可能な辺を、前記長さ（ａ）と前記短い方の長さ（ｃ）との間の範囲内の選択された測定値に調節する手段を更に有することを特徴とする調節可能な可撓性構造。
【請求項１３】
前記最短の選択された長さ（ｃ）は、２の平方根を２で割ったものに長さ（ａ）を掛けた値に等しいことを特徴とする請求項１２記載の可撓性構造。
【請求項１４】
相互連結されたフレームの少なくとも１つの前記辺は、直接隣接するフレームの辺を有していることを特徴とする請求項１２記載の可撓性構造。
【手続補正書】
【提出日】平成16年12月1日(2004.12.1)
【手続補正１】
【補正対象書類名】明細書
【補正対象項目名】特許請求の範囲
【補正方法】変更
【補正の内容】
【特許請求の範囲】
【請求項１】  SEQ ID N0: 1に示されるペプチド。
【請求項２】  SEQ ID N0: 2に示されるペプチド。
【請求項３】  SEQ ID N0: 1およびSEQ ID N0: 2からなる群から選択されるペプチドを含む、ヒトサイトメガロウィルスに対するワクチン。
【請求項４】  アジュバントをさらに含む、請求項3に記載のワクチン。
【請求項５】  前記アジュバントがDNAアジュバントである、請求項4に記載のワクチン。
【請求項６】  SEQ ID N0: 1およびSEQ ID N0: 2からなる群から選択されるペプチドおよびDNAアジュバントを含む、ヒトサイトメガロウィルスに対するワクチン。
【請求項７】  SEQ ID N0: 1およびSEQ ID N0: 2からなる群から選択されるペプチドを提示する抗原提示細胞を含む、ヒトサイトメガロウィルスに対する細胞ワクチン。
【請求項８】  請求項3に記載のワクチンを含む、ヒトサイトメガロウィルス感染に対する免疫応答をモジュレートするためのワクチン製剤。
【請求項９】  請求項7に記載のワクチンを含む、ヒトサイトメガロウィルス感染に対する免疫応答をモジュレートするためのワクチン製剤。
【請求項１０】  請求項3に記載のワクチンを含む、ヒトサイトメガロウィルスに対してワクチン接種が必要な哺乳動物にワクチン接種するためのワクチン製剤。
【請求項１１】  請求項7に記載のワクチンを含む、ヒトサイトメガロウィルスに対してワクチン接種が必要な哺乳動物にワクチン接種するためのワクチン製剤。
【請求項１２】  SEQ ID NO: 1およびSEQ ID NO: 2からなる群から選択されるペプチドをコードする遺伝子を含有する、組換えウィルスベクター。
【請求項１３】  SEQ ID NO: 1およびSEQ ID NO: 2からなる群から選択されるペプチドを含む、免疫学的試薬。
【請求項１４】  診断用試薬である、請求項13に記載の免疫学的試薬。
【請求項１５】  β-2ミクログロブリン、蛍光マーカーを連結したストレプトアビジンと複合体を形成するビオチン化MHCクラスI分子、およびSEQ ID NO: 1およびSEQ ID NO: 2からなる群から選択されるペプチドの複合体を含む、請求項14に記載の診断用試薬。
【請求項１６】  前記複合体が四量体複合体である、請求項15に記載の診断用試薬。
【請求項１７】  前記複合体が二量体複合体である、請求項15に記載の診断用試薬。
【手続補正書】
【提出日】平成16年10月19日(2004.10.19)
【手続補正１】
【補正対象書類名】明細書
【補正対象項目名】請求項１
【補正方法】変更
【補正の内容】
【請求項１】  骨の骨膜に由来する不死化された前骨芽細胞の細胞系であって、少なくとも１つの遺伝子を発現し、正常な細胞周期と共役せず、かつテロメラーゼ遺伝子を発現させ得る構築物を含有し、並びに骨芽細胞に分化することができる上記不死化された細胞系。
【手続補正２】
【補正対象書類名】明細書
【補正対象項目名】請求項６
【補正方法】変更
【補正の内容】
【請求項６】  不死化された前骨芽細胞の細胞系を調製する方法であって、
（ａ）前骨芽細胞を骨の骨膜から単離するステップ、
（ｂ）その産物が正常な細胞周期と共役しない遺伝子を含有する構築物を細胞に導入するステップ、
（ｃ）場合により、トランスフェクションされた細胞を培養物から単離するステップ、
（ｄ）ステップ（ｂ）又は（ｃ）で得られる細胞中に、テロメラーゼ遺伝子の発現を指示する構築物を導入するステップ、及び
（ｅ）取り込まれた両方の構築物を含有する細胞を得るために、ステップ（ｄ）の細胞を選択するステップ
を含む上記方法。
【手続補正書】
【提出日】平成15年5月15日(2003.5.15)
【手続補正１】
【補正対象書類名】明細書
【補正対象項目名】特許請求の範囲
【補正方法】変更
【補正の内容】
【特許請求の範囲】
【請求項１】
対応する野生型酵素と比較して、および少なくとも１つの他の選択された糖基質に関して、少なくとも２倍の増加したグルコースに対する基質特異性を有することを特徴とする、PQQ 依存性可溶性グルコースデヒドロゲナーゼ（s-GDH ）としても知られているEC1.1.99.17 の可溶性形態の変異体。
【請求項２】
ａ）グルコースに対する基質特異的反応性が本質的に野生型酵素の反応性と等しく、
ｂ）マルトースに対する基質特異的反応性が野生型酵素と比較して30％以下であることを特徴とする、
PQQ 依存性可溶性グルコースデヒドロゲナーゼ（s-GDH ）としても知られているEC1.1.99.17 の可溶性形態の変異体。
【請求項３】
A.calcoaceticus 由来の公知のs-GDH 野生型配列（配列番号：24）の位置に対応するアミノ酸位置で少なくとも２つのアミノ酸残基置換を含み、該置換されたアミノ酸位置が16、22、76、116 、120 、127 、143 、168 、169 、171 、177 、227 、230 、231 、245 、255 、277 、295 、299 、308 、317 、341 、349 、355 、422 、428 および438 位からなる群から選択され、アミノ酸残基T348が置換されてなるPQQ 依存性s-GDH の変異タンパク質。
【請求項４】
A.calcoaceticus 由来の公知のs-GDH 野生型配列（配列番号：24）の位置に対応するアミノ酸位置で少なくとも３つのアミノ酸残基置換を含み、該置換されたアミノ酸位置が171 、227 、230 、245 、341 、348 、349 、および428 位からなる群から選択され、アミノ酸残基T348およびN428の両方が置換されてなるPQQ 依存性s-GDH の変異タンパク質。
【請求項５】
WPXaaVAPS （配列番号：１）のアミノ酸配列を含んでなり、該Xaa 残基がスレオニン以外のアミノ酸残基であるPQQ 依存性s-GDH の変異タンパク質。
【請求項６】
TAGXaaVQK （配列番号：２）のアミノ酸配列を含んでなり、該Xaa 残基がアスパラギン以外のアミノ酸残基であるPQQ 依存性s-GDH の変異タンパク質。
【請求項７】
請求項３〜６いずれか記載のs-GDH 変異タンパク質をコードする単離されたポリヌクレオチド。
【請求項８】
請求項１〜７いずれか記載のs-GDH 変異体および測定に必要な他の試薬を含むサンプル中のグルコースの検出または測定のためのデバイス。
【手続補正書】
【提出日】平成16年10月22日(2004.10.22)
【手続補正１】
【補正対象書類名】明細書
【補正対象項目名】請求項１３
【補正方法】変更
【補正の内容】
【請求項１３】クリアコートが、８〜１８重量％のアルキレンオキサイド基を含む（メタ）アクリロイル官能性ポリウレタン及びＵＶ開始剤を有する（メタ）アクリロイル官能性ポリウレタンディスパージョンを含むことを特徴とする、ベースコート組成物及びクリアコート組成物で金属基材をコーティングする方法。
【手続補正２】
【補正対象書類名】明細書
【補正対象項目名】請求項１４
【補正方法】変更
【補正の内容】
【請求項１４】クリアコート組成物が、５〜１８重量％のアルキレンオキサイド基を含む（メタ）アクリロイル官能性ポリウレタン及びＵＶ開始剤を有する（メタ）アクリロイル官能性ポリウレタンディスパージョンを含むことを特徴とするクリアコート組成物で柔軟性のある床をコーティングする方法。
【手続補正３】
【補正対象書類名】明細書
【補正対象項目名】００８６
【補正方法】変更
【補正の内容】
【００８６】
【表２】
2004512402.tif 000001
【手続補正書】
【提出日】平成16年9月29日(2004.9.29)
【手続補正１】
【補正対象書類名】明細書
【補正対象項目名】特許請求の範囲
【補正方法】変更
【補正の内容】
【特許請求の範囲】
【請求項１】  加熱の間、高分子量生成物の形成を低減しながら、含酸素化合物及び炭化水素不飽和物を含むフィッシャー−トロプシュ炭化水素流を水素転化する方法であって、
ａ）  水素を添加せずに加熱された炭化水素流と比較して、加熱の間に形成される高分子量生成物の量を低減するのに充分な、第一水素含有ガスを炭化水素流に添加して、混合流を形成する工程、
ｂ）  該混合流を加熱する工程、
ｃ）  該混合流の水素転化を行うのに充分な、第二水素含有ガスを該加熱された混合流に添加して、水素転化供給物流を形成する工程、
ｄ）  該水素転化供給物流を反応温度まで加熱する工程、及び、
ｅ）  該水素転化供給物流を水素転化する工程、
を含む、上記方法。
【請求項２】  該含酸素化合物及び不飽和物が、直鎖状アルコール、モノ−オレフィン及びそれらの混合物からなる群より選択される、請求項１に記載の方法。
【請求項３】  該炭化水素流が、含酸素化合物として直鎖状アルコールを少なくとも０．５重量％含む、請求項２に記載の方法。
【請求項４】  該直鎖状アルコールの沸点が、約５０℃〜約３５０℃の範囲である、請求項３に記載の方法。
【請求項５】  該炭化水素流が、モノ−オレフィンを少なくとも約５．０重量％含む、請求項２に記載の方法。
【請求項６】  該炭化水素流が、モノ−オレフィンを少なくとも約１５．０重量％含む、請求項２に記載の方法。
【請求項７】  該炭化水素流が、モノ−オレフィンを少なくとも約２５．０重量％含む、請求項２に記載の方法。
【請求項８】  該モノ−オレフィンの沸点が、約−１０５℃〜約３５０℃の範囲である、請求項７に記載の方法。
【請求項９】  該フィッシャー−トロプシュ炭化水素流が、約−６５℃〜約３５０℃の範囲の低沸点留分である、請求項１に記載の方法。
【請求項１０】  該第一水素含有ガスが、水素生成ユニットからのものであるか、水素化処理操作からリサイクルされるものか、又は合成ガスである、請求項１に記載の方法。
【請求項１１】  該第一水素含有ガスが、約５００標準立方フィート／バレル（ＳＣＦＢ）未満の量で添加される、請求項１に記載の方法。
【請求項１２】  該第一水素含有ガスが、約１００ＳＣＦＢ未満の量で添加される、請求項１１に記載の方法。
【請求項１３】  該第一水素含有ガスが、約５０ＳＣＦＢ未満の量で添加される、請求項１２に記載の方法。
【請求項１４】  該第二水素含有ガスが、７５０ＳＣＦＢより多い量で添加される、請求項１に記載の方法。
【請求項１５】  該混合流が、約１２０℃〜約３００℃の範囲の温度まで加熱され、該水素転化供給物流が、約２５０℃〜約４００℃の範囲の温度まで加熱される、請求項１に記載の方法。
【手続補正書】
【提出日】平成15年7月4日(2003.7.4)
【手続補正１】
【補正対象書類名】明細書
【補正対象項目名】特許請求の範囲
【補正方法】変更
【補正の内容】
【特許請求の範囲】
【請求項１】
置換されたＰＶＡを含有する塗膜を含み、それがボレート化合物と低い反応性を示す粒子。
【請求項２】
ＰＶＡが、親水性の有機酸、アミン、チオール部分またはそれらの組合せで置換されている、請求項１に記載の粒子。
【請求項３】
置換有機酸、アミン、チオール部分またはそれらの組み合わせが、２５℃における蒸留水１００ｍｌ当たり少なくとも１００ｇの溶解度を有する、請求項２に記載の粒子。
【請求項４】
ＰＶＡは、少なくとも幾つかのヒドロキシルまたはアルコール基をカルボン酸、メタクリルアミド、チオール基またはそれらの組み合わせにより置換することにより置換されている、請求項１に記載の粒子。
【請求項５】
置換が、ＰＶＡの少なくとも１つの側鎖を生ずる、請求項４に記載の粒子。
【請求項６】
ＰＶＡが、そのヒドロキシルまたはアルコール基のスルホン酸または硫酸による置換により置換されている、請求項１に記載の粒子。
【請求項７】
ＰＶＡが、ヒドロキシルまたはアルコール基のカルボン酸塩およびスルホン酸塩による置換により置換されている、請求項１に記載の粒子。
【請求項８】
ＰＶＡが、約１〜１０％のヒドロキシルまたはアルコールの置換により置換されている、請求項１に記載の粒子。
【請求項９】
ＰＶＡのヒドロキシルまたはアルコール基の置換度が１〜１００ｍｏｌ％である、請求項１に記載の粒子。
【請求項１０】
さらに、水溶解性または水分散性の心と；１つ以上の酵素とを含み、塗膜が心を取囲む、請求項１に記載の粒子。
【請求項１１】
その心が、１つ以上の酵素によって取囲まれたノンパレイユを含む、請求項１０に記載の粒子。
【請求項１２】
水溶解性または分散性の心物質；
１つ以上の酵素；および、
親水性の有機酸、アミン、チオール部分またはそれらの組み合わせ置換されたＰＶＡを含む塗膜を含み、それによって、その粒子がボレート化合物と低い反応性を示す粒子。
【請求項１３】
請求項１に記載の粒子とともにホウ素含有化合物を含有する洗剤組成物。
【請求項１４】
ホウ素含有化合物がホウ酸ナトリウムまたは過ホウ酸ナトリウムである、請求項１２に記載の洗剤組成物。
【請求項１５】
請求項１４に記載の粒子とともにホウ素含有化合物を含有する洗剤組成物。
【手続補正書】
【提出日】平成15年3月14日(2003.3.14)
【手続補正１】
【補正対象書類名】明細書
【補正対象項目名】００６４
【補正方法】変更
【補正の内容】
【００６４】
【表１】
2004512498.tif 000001
【手続補正２】
【補正対象書類名】明細書
【補正対象項目名】００６６
【補正方法】変更
【補正の内容】
【００６６】
実施例１
実験設定：
実験設定を図２に模式的に示す。
捕捉：直接プローブ捕捉（ＢＳＡによりディップスティック上に固定されたプローブ配列番号２２を使用）；
検出フォーマット：１０１２コピーで配列番号２０、２１、２３および２４を含む１つまたはそれ以上の検出プローブ。各プローブはビオチンに結合され、抗ビオチン抗体接合体により検出される；
ヘルパープローブ：配列番号４およびＨＰ配列番号５（１０１２コピー）；
標的：８７２  ｂｐ二本鎖ＤＮＡ（１０１０コピー）。


【手続補正３】
【補正対象書類名】明細書
【補正対象項目名】００６７
【補正方法】変更
【補正の内容】
【００６７】
【表２】
2004512498.tif 000002
【手続補正４】
【補正対象書類名】明細書
【補正対象項目名】００６９
【補正方法】変更
【補正の内容】
【００６９】
実施例２
実験設定
捕捉フォーマット：抗体捕捉−抗ビオチン抗体（ディップスティック上に固定）。捕捉プローブ配列番号２０、２１、２２、２３および２４（１０１２コピーでビオチンに結合される）；
検出フォーマット：ＢＳＡにより染料粒子に結合された配列番号１７のプローブを含む検出プローブ；
ヘルパープローブ：配列番号６および配列番号７。これらのヘルパープローブは、配列番号１７により認識される領域に隣接する標的核酸の領域とハイブリダイズする。
標的ＤＮＡ：８７２  ｂｐｄｓＤＮＡ（１０１１〜１０８コピー）。


【手続補正５】
【補正対象書類名】明細書
【補正対象項目名】００７０
【補正方法】変更
【補正の内容】
【００７０】
【表３】
2004512498.tif 000003
【手続補正６】
【補正対象書類名】明細書
【補正対象項目名】００７２
【補正方法】変更
【補正の内容】
【００７２】
実施例３
実験設定
捕捉フォーマット：直接プローブ捕捉（ｃｐ）（ディップスティック上に固定された配列番号２１または配列番号２２を使用）；
検出プローブ：反応（ホスホルアミダイト）基を含むリンカーに連結されたビオチン検出リガンドを、検出プローブ（ｄｐ）配列番号２０に結合されたスペーサーと、または異なる位置で検出プローブ（ｄｐ）配列番号２０に結合された２つのスペーサーの各々と反応させた。異なる長さおよび種類のスペーサーを用いた。検出プローブは、１０１２コピーで存在した；
検出フォーマット：抗ビオチン抗体染料接合体；
ヘルパープローブ：配列番号３および配列番号４（これらのヘルパープローブは、配列番号２１により認識される領域に隣接する標的核酸の領域とハイブリダイズする）、あるいは配列番号４および配列番号５（これらのヘルパープローブは、配列番号２２により認識される領域に隣接する標的核酸の領域とハイブリダイズする）（１０１２コピー）。
標的ＤＮＡ：４１６  ｂｐｄｓＤＮＡ断片。


【手続補正７】
【補正対象書類名】明細書
【補正対象項目名】００７３
【補正方法】変更
【補正の内容】
【００７３】
【表４】
2004512498.tif 000004
【手続補正８】
【補正対象書類名】明細書
【補正対象項目名】００７６
【補正方法】変更
【補正の内容】
【００７６】
実施例４
実験設定
捕捉フォーマット：直接プローブ捕捉（ｃｐ）配列番号１７（ディップスティック上に固定）；
検出プローブ：一または多ビオチン検出リガンドに結合された配列番号２０のプローブを含む検出プローブ（ｄｐ）。各ビオチン検出リガンドは、６つのヌクレオチドスペーサーによりそのプローブに結合された。検出プローブは１０１２コピーで用いた；
検出フォーマット：抗ビオチン抗体染料接合体；
ヘルパープローブ：配列番号６および配列番号７（これらのヘルパープローブは、配列番号１７により認識される領域に隣接する標的核酸の領域とハイブリダイズする）；配列番号１および配列番号３（これらのヘルパープローブは、配列番号２０により認識される領域に隣接する標的核酸の領域とハイブリダイズする）（１０１２コピー）。
標的ＤＮＡ：８７２  ｂｐｄｓＤＮＡ断片または１０１８６  ｂｐプラスミドＤＮＡ。


【手続補正９】
【補正対象書類名】明細書
【補正対象項目名】００７９
【補正方法】変更
【補正の内容】
【００７９】
実施例５
実験設定
捕捉フォーマット：オリゴヌクレオチドプローブ捕捉配列：ＣＧＴ  ＣＴＧ  ＴＴＧ  ＧＡＣ  ＴＣＴ  ＧＧ（配列番号２５）（ディップスティック膜上に固定）；
検出プローブ：一または多ビオチン標識化検出体プローブ配列：ＣＴＣ  ＡＡＴ  ＡＡＡ  ＧＣＴ  ＴＧＣ  ＣＴＴ  ＧＡ（配列番号２６）；
検出フォーマット：抗ビオチン抗体−コロイド金接合体；
標的核酸：ＲＮＡアンプリコン、１２０  ｎｔ（ＨＩＶ陽性試料のＮＡＳＢＡ増幅反応により合成）。一増幅反応は、約１０１１コピーのＲＮＡ標的分子を生じる。
【手続補正書】
【提出日】平成16年9月22日(2004.9.22)
【手続補正１】
【補正対象書類名】明細書
【補正対象項目名】特許請求の範囲
【補正方法】変更
【補正の内容】
【特許請求の範囲】
【請求項１】  プログラマブル・コンフォート・コントローラ用のユーザ・インターフェース・システムであって、
中央処理装置と、
前記中央処理装置に結合されており、少なくとも１つの設定値を有する温度スケジュール・データ構造を格納するメモリ手段であって、前記設定値のそれぞれが、所望の温度を所望の時間に関連づける、メモリ手段と、
前記中央処理装置に結合されており、前記設定値をグラフィカルに表示し、ユーザに前記設定値をプログラミング可能にさせるタッチ・センシティブ・スクリーンを備えるディスプレイ・ユニットと、
を備えるユーザ・インターフェース・システム。
【請求項２】  請求項１に記載のシステムにおいて、前記ディスプレイ・ユニットが、前記設定値を階段関数として表示する、ユーザ・インターフェース・システム。
【請求項３】  請求項２に記載のシステムにおいて、該システムはさらに、
前記設定値を時間および温度のリストとして前記ディスプレイ・ユニットに表示させる少なくとも１つの追加制御機能を、
備えるユーザ・インターフェース・システム。
【請求項４】  請求項２に記載のシステムにおいて、該システムはさらに、
前記設定値をクロックおよび温度制御機能として前記ディスプレイ・ユニットに表示させる少なくとも１つの追加制御機能を、
備えるユーザ・インターフェース・システム。
【請求項５】  中央処理装置と、少なくとも１つの設定値を有する温度スケジュール・データ構造を格納するメモリ手段であって、前記設定値のそれぞれが、所望の温度を所望の時間に関連づける、メモリ手段と、タッチ・センシティブ・スクリーンを備えるディスプレイ・ユニットと、を備えるユーザ・インターフェース・システムであって、前記メモリ手段および前記ディスプレイ・ユニットの両方が、前記中央処理装置に結合される、ユーザ・インターフェース・システムを備えるサーマル・コンフォート・コントローラをプログラミングするための方法であって、
前記ディスプレイ・ユニット上に前記設定値をグラフィカルに表示するステップと、
前記温度スケジュール・データ構造から少なくとも１つの設定値を選択させるステップと、
前記ディスプレイ・ユニット上に前記少なくとも１つの設定値用の設定時間を入力させるステップと、
前記ディスプレイ・ユニット上に前記少なくとも１つの設定値用の設定温度を入力させるステップと、
前記設定時間および前記設定温度を有する前記温度スケジュール・データ構造内の前記少なくとも１つの設定値を更新するステップと、
を含む方法。
【請求項６】  請求項５に記載の方法であって、グラフィカルに表示する前記ステップにおいて、前記設定値が、階段関数として表示される、サーマル・コンフォート・コントローラをプログラミングするための方法。
【請求項７】  請求項５に記載の方法であって、設定時間を入力させる前記ステップが、前記階段関数の第１のグラフィカルラインを、前記階段関数上のその現在の場所から前記第１軸に対する新しい位置までドラッグさせるステップを含む、サーマル・コンフォート・コントローラをプログラミングするための方法。
【請求項８】  請求項２に記載のシステムにおいて、前記階段関数は、少なくとも１つの水平線と１以上の垂直線から構成され、前記設定値は、ユーザが水平線及ぶ垂直線の大きさを変更することによってプログラミングされる、ユーザ・インターフェース・システム。
【請求項９】  請求項２に記載のシステムにおいて、前記設定値は、前記階段関数をポイント・アンド・ドラッグすることによってプログラミングされる、ユーザ・インターフェース・システム。
【請求項１０】  請求項５に記載の方法であって、前記階段関数は、少なくとも１つの水平線と１以上の垂直線から構成され、前記設定値は、ユーザが水平線及ぶ垂直線の大きさを変更することによってプログラミングされる、サーマル・コンフォート・コントローラをプログラミングするための方法。
【手続補正書】
【提出日】平成15年8月26日(2003.8.26)
【手続補正１】
【補正対象書類名】明細書
【補正対象項目名】特許請求の範囲
【補正方法】変更
【補正の内容】
【特許請求の範囲】
【請求項１】
装置を壁に取付ける壁係止部と、磁気感応性を有する吊り下げ式金属線又はループ部を有する装飾品等を係止するため前記壁係止部の下端部でその壁係止部に取付けられると共に最上端部を規定する自由端を有する上向きの非磁性鉤とを備えた物品吊り装置であって、前記装置の一部は磁性材料からなり、その磁性材料は前記磁気感応性を有する吊り下げ式金属線又はループ部をひきつけるため前記非磁性鉤の最上端部の上方に置かれ、よってその磁性材料に前記吊り下げ式金属線又はループ部をひきつけた後、前記吊り下げ式金属線又はループ部は、前記鉤に前記吊り下げ式金属線又はループ部を係止し易くするためその鉤の下方に摺動可能であることを特徴とする物品吊り装置。
【請求項２】
前記吊り装置は、前記壁係止部に結合し前記磁性材料を組み込んだ磁性部材を備え、そして前記壁係止部および磁性部材は、少なくとも一つの留め具を受けるための少なくとも一つの穴を備えることを特徴とする請求項１記載の装置。
【請求項３】
前記壁係止部および磁性部材の前記穴が、仰角度約２０乃至７０度の範囲に応じて前記留め具の受けを導くように位置されることを特徴とする請求項２記載の装置。
【請求項４】
前記磁性材料が、前記装置の外表面上に位置することを特徴とする請求項１記載の装置。
【請求項５】
前記磁性材料が、前記装置の内部に位置することを特徴とする請求項１記載の装置。
【請求項６】
前記装置は、前記磁性材料を受けるための空洞を備えることを特徴とする請求項５記載の装置。
【請求項７】
前記磁性材料の全体が、前記鉤の最上端の上方に位置することを特徴とする請求項１記載の装置。
【請求項８】
前記壁係止部の全体が、前記磁性材料からなることを特徴とする請求項１記載の装置。
【請求項９】
前記装置は、前記鉤内に前記吊り下げ式金属線又はループ部を導く下向きの傾斜面を備えることを特徴とする請求項１記載の装置。
【請求項１０】
前記磁性部材は、前記鉤内に前記吊り下げ式金属線又はループ部を導く下向きの傾斜面を有することを特徴とする請求項２記載の装置。
【手続補正２】
【補正対象書類名】図面
【補正対象項目名】図２
【補正方法】変更
【補正の内容】
【図２】
2004512484.tif 000001
【手続補正３】
【補正対象書類名】図面
【補正対象項目名】図３
【補正方法】変更
【補正の内容】
【図３】
2004512484.tif 000002
【手続補正４】
【補正対象書類名】図面
【補正対象項目名】図４
【補正方法】変更
【補正の内容】
【図４】
2004512484.tif 000003
【手続補正書】
【提出日】平成16年10月1日(2004.10.1)
【手続補正１】
【補正対象書類名】明細書
【補正対象項目名】特許請求の範囲
【補正方法】変更
【補正の内容】
【特許請求の範囲】
【請求項１】  水処理カートリッジを通って流れる未処理水の分流を固体化合物にて処理する水処理カートリッジ用の改良された分流給水管において、
水の分流が全体として第二の端部にて前記分流給水管内に流れ且つ第一の端部にて前記分流給水管から出るように配置された第一及び第二の端部と、
該第二の端部と作用可能な関係にあり、水の分流部分をろ過し且つ浄化し得る形態とされた多孔質プラグを有する底部プラグ組立体とを備える、改良された分流給水管。
【請求項２】  請求項１の分流給水管において、前記作用可能な関係が直接取り付る関係である、分流給水管。
【請求項３】  請求項１の分流給水管において、前記多孔質プラグが、炭素ブロック、多孔質セラミック及び多孔質プラスチックの少なくとも１つから成る材料で出来ている、分流給水管。
【請求項４】  請求項１の分流給水管において、前記多孔質プラスチックがポリエチレン又はポリプロピレンである、分流給水管。
【請求項５】  請求項１の分流給水管において、前記弁がフラッパ弁である、分流給水管。
【請求項６】  請求項１の分流給水管において、前記多孔質プラグを保持し得る形態とされたチャンバを有するオリフィスブッシュを更に備え、該オリフィスブッシュが、前記ハウジング内に保持し得る寸法及び形態とされる、分流給水管。
【請求項７】  請求項６の分流給水管において、前記チャンバが前記オリフィスブッシュよりも小さい断面積を有する、分流給水管。
【請求項８】  請求項６の分流給水管において、前記底部プラグ組立体が多孔質フィルタ円板を更に備える、分流給水管。
【請求項９】  請求項８の分流給水管において、前記多孔質フィルタ円板が紙、多孔質プラスチック及び多孔質セラミック材料の１つ又は２つ以上から出来ている、分流給水管。
【請求項１０】  水をろ過し且つ該水の一部分をその内部の固体化合物にて処理する改良された水フィルタカートリッジにおいて、
水を前記フィルタカートリッジ内に運ぶ入口管と、
前記フィルタカートリッジ内に収容されたフィルタ装置と、
水の分流部分を前記固体化合物にてろ過し、浄化し且つ処理する分流給水管であって、第一の端部及び第二の端部を有し、放出穴が前記第一の端部と作用可能な関係にあり、底部プラグ組立体が前記第二の端部と作用可能な関係にあり、前記放出穴が分流の適宜な流量を提供し得る寸法及び形態とされ、前記底部プラグ組立体が多孔質プラグを備え、該多孔質プラグが、前記底部プラグ組立体内に保持し得る寸法及び形態とされ且つ水の分流部分をろ過し且つ浄化し、水の分流が前記多孔質プラグによりろ過され且つ浄化され、前記分流給水管内に流れ、前記固体化合物と反応し、前記放出穴を通って前記分流給水管から出るようにした前記分流給水管と、
水の主流部分を水の分流部分と再度組み合わせる出口積重ね体と、
水を前記水処理カートリッジ外に運ぶ出口ポートとを備える、改良された水フィルタカートリッジ。
【請求項１１】  請求項１０のフィルタカートリッジにおいて、前記フィルタ装置が炭素を備える、フィルタカートリッジ。
【請求項１２】  請求項１１のフィルタカートリッジにおいて、前記フィルタ装置が炭素混合体及び波形隔膜を備える、フィルタカートリッジ。
【請求項１３】  請求項１０のフィルタカートリッジにおいて、前記固体化合物がリン酸塩化合物である、フィルタカートリッジ。
【請求項１４】  請求項１３のフィルタカートリッジにおいて、前記リン酸塩化合物がテトラピロリン酸ナトリウムデカハイドレイトである、フィルタカートリッジ。
【請求項１５】  請求項１０のフィルタカートリッジにおいて、前記多孔質プラグの断面及び深さがフィルタ装置を模擬し得るような寸法とされる、フィルタカートリッジ。
【請求項１６】  請求項１０のフィルタカートリッジにおいて、前記弁がフラッパ弁である、フィルタカートリッジ。
【請求項１７】  請求項１０のフィルタカートリッジにおいて、前記多孔質プラグを保持し得る形態とされたチャンバを有するオリフィスブッシュを更に備え、該オリフィスブッシュが前記ハウジング内に保持し得る寸法及び形態とされる、フィルタカートリッジ。
【請求項１８】  請求項１７のフィルタカートリッジにおいて、前記底部プラグ組立体が多孔質フィルタ円板を更に備える、フィルタカートリッジ。
【請求項１９】  請求項１０のフィルタカートリッジにおいて、前記放出穴が、前記分流給水管の長手方向軸から４５°以上の角度にて前記分流給水管から出る、フィルタカートリッジ。
【請求項２０】  水をろ過し且つ該水の一部分をその内部の固体化合物にて処理する改良された水フィルタカートリッジにおいて、
水を前記カートリッジ内に運ぶ入口管と、
前記フィルタカートリッジ内に収容されて、水の主流部分のろ過及び浄化を行うフィルタ媒質と、
水の分流部分を固体化合物にてろ過し、浄化し且つ処理する分流給水管であって、第一の端部及び第二の端部を有し、前記第一の端部における放出穴と、前記第二の端部における底部プラグ組立体とを有し、該底部プラグ組立体が、多孔質プラグと、該多孔質プラグを所要位置に保持するオリフィスブッシュと、多孔質のフィルタ円板と、フラッパ弁と、フラッパケージとを備え、前記多孔質プラグが、フィルタ媒質を水の分流部分から除去する形態とされ、該フラッパケージが、水が流れるのを許容しつつ、前記可溶性化合物の粒子が前記フラッパ弁の作動に干渉するのを防止する形態とされ、水の分流が前記分流給水管に入り、前記多孔質プラグによってろ過され、前記多孔質フィルタ円板によりろ過され、前記フラッパ弁を通って前記分流給水管内に入り、固体化合物によって処理され且つ、前記放出穴を通って前記分流給水管から出るようにした前記分流給水管と、
水の主流部分を水の分流部分と再度組み合わせる出口積重ね体と、
水を前記水処理カートリッジ外に運ぶ出口とを備える、改良された水フィルタカートリッジ。